(57)【要約】  光ディスクがダウンロードされたコンテンツと協調して再生するのに利用される光ディスク、光ディスクプレーヤー及び光ディスク再生方法が開示される。光ディスクは、ダウンロードされたコンテンツが認証されているか検証するのに利用される公開鍵を有する。光ディスクプレーヤーは、光ディスクのコンテンツ及び公開鍵を読み出す読み出し手段と、ダウンロードされたコンテンツを受信するのに利用されるネットワークインタフェースと、ダウンロードされたコンテンツが光ディスクから読み出された公開鍵に従って認証されているか検証するのに利用される検証モジュールとを有する。光ディスク再生方法は、光ディスクのコンテンツ及び公開鍵を読み出すステップと、ダウンロードされたコンテンツが認証されているか確認するため、光ディスクから読み出された公開鍵に従って、ダウンロードされたコンテンツを検証するステップから構成される。
2007508660.tif 000002
【特許請求の範囲】
【請求項１】
ダウンロードされたコンテンツと協調して再生するのに利用される光ディスクであって、
前記ダウンロードされたコンテンツが認証されているか検証するのに利用される公開鍵を有することを特徴とする光ディスク。
【請求項２】
請求項１記載の光ディスクであって、
前記公開鍵は、当該光ディスクのＢＣＡゾーンに格納されることを特徴とする光ディスク。
【請求項３】
請求項１記載の光ディスクであって、
前記公開鍵は、当該光ディスクのメディアコンテンツゾーンに格納されることを特徴とする光ディスク。
【請求項４】
光ディスクの公開鍵とコンテンツを読み出す読み出し手段と、
関連するダウンロードされたコンテンツを受信するネットワークインタフェースと、
前記関連するダウンロードされたコンテンツが、前記光ディスクから読み出された公開鍵により認証されるか検証する検証手段と、
を有することを特徴とする光ディスクプレーヤー。
【請求項５】
請求項４記載の光ディスクプレーヤーであって、さらに、
前記ダウンロードされたコンテンツの完全性を検出する検出手段を有し、
前記検出されたコンテンツが完全でない場合、前記検証は実行されない、
ことを特徴とする光ディスクプレーヤー。
【請求項６】
請求項４記載の光ディスクプレーヤーであって、
前記ダウンロードされたコンテンツは、アプリケーションプログラムであることを特徴とする光ディスクプレーヤー。
【請求項７】
請求項６記載の光ディスクプレーヤーであって、
前記ダウンロードされたアプリケーションプログラムは、ＪＡＶＡ（登録商標）言語アプリケーションプログラムであることを特徴とする光ディスクプレーヤー。
【請求項８】
光ディスクの公開鍵とコンテンツを読み出すステップと、
関連するコンテンツをダウンロードするステップと、
前記ダウンロードされたコンテンツが処理されるか確認するため、前記光ディスクから読み出される公開鍵に従って、前記ダウンロードされたコンテンツが認証されるか検証するステップと、
を有することを特徴とする再生方法。
【請求項９】
請求項８記載の再生方法であって、さらに、
前記ダウンロードされたコンテンツが完全であるか確認するため、前記ダウンロードされたコンテンツの完全性を検出するステップを有し、
前記コンテンツが完全でない場合、前記検証ステップが実行され、前記検出されたコンテンツが完全である場合、前記検証ステップが実行される、
ことを特徴とする再生方法。
【請求項１０】
請求項８又は９記載の再生方法であって、
前記検証されたダウンロードされたコンテンツが認証されていない場合、前記ダウンロードされたコンテンツは処理を拒絶されることを特徴とする再生方法。
【請求項１１】
請求項１０記載の再生方法であって、
前記検証されたダウンロードされたコンテンツが認証されている場合、前記ダウンロードされたコンテンツは処理されることを特徴とする再生方法。
【請求項１２】
請求項８記載の再生方法であって、
前記ダウンロードされたコンテンツは、アプリケーションプログラムであることを特徴とする再生方法。
【請求項１３】
請求項１２記載の再生方法であって、
前記ダウンロードされたアプリケーションプログラムは、ＪＡＶＡ（登録商標）言語アプリケーションプログラムであることを特徴とする再生方法。
【請求項１４】
ダウンロードされたコンテンツと協調して再生するのに利用される光ディスクであって、
前記ダウンロードされたコンテンツが認証されているか検証するのに利用されるパーツを有することを特徴とする光ディスク。
【請求項１５】
ネットワークサーバと接続されることにより再生を実現するのに利用される光ディスクであって、
ネットワーク情報と協調して当該光ディスクの再生許可を検証するのに利用されるパーツを有することを特徴とする光ディスク。
【請求項１６】
請求項１５記載の光ディスクであって、
前記パーツは、当該光ディスクに格納される公開鍵であることを特徴とする光ディスク。
【発明の詳細な説明】
【技術分野】
【０００１】
本発明は、光ディスク、光ディスクを再生する光ディスクプレーヤー及び方法に関する。
【背景技術】
【０００２】
光ディスク及びディスク再生技術の急速な進歩により、ディスク再生中にプレーヤーにダウンロードされ、ディスクを再生するプレーヤーと協調するため、ますます多くのコンテンツがウェブサーバに格納される。
【０００３】
ダウンロードされたコンテンツは、アプリケーション、音声、広告、ゲーム、マンガ及び字幕であるかもしれない。アプリケーションがＪＡＶＡ（登録商標）又は他の言語によるアプリケーションである場合、他の言語と比較して、ＪＡＶＡ（登録商標）によるアプリケーションは、言語のプラットフォーム独立性のためより多目的である。ＪＡＶＡ（登録商標）アプリケーションは、各種プレーヤーの再生を制御するのに利用可能であり、それをウェブサーバに格納することは、様々なプレーヤーメーカーに広範なビジネスプラットフォームを提供し、ユーザによりフレキシブルなアプリケーションを提供する。
【０００４】
ウェブサーバに上記コンテンツを格納し、その後、それをディスクを再生するためプレーヤーと協調させるためプレーヤーにダウンロードする方法は、Ｂｌｕ  ｅ−ｒａｙディスク及び対応するプレーヤー、ｅ−ＤＶＤ（ｅｎｈａｎｃｅｄ  ＤＶＤ）及び対応するプレーヤーなどの多くのディスク及び対応するプレーヤーにおいて利用される。
【０００５】
現在、ウェブからダウンロード可能なコンテンツの範囲は、ディスク上に格納されているＵＲＬ（Ｕｎｉｆｏｒｍ  Ｒｅｓｏｕｒｃｅ  Ｌｏｃａｔｏｒ）リスト（Ｗａｌｌｅｄ  Ｇａｒｄｅｎ）により決定される。ダウンロードされたコンテンツに対応するＵＲＬがディスクに格納されているＵＲＬリストに存在しない場合、ダウンロードされたコンテンツの実行は拒絶される。
【０００６】
しかしながら、ディスク上に格納されているＵＲＬリストに対応するコンテンツは、ユーザに提供可能となるようにコンテンツプロバイダによってのみ確認される。すなわち、コンテンツは、認証なしに直接的にウェブサーバに格納される。認証は、光ディスクコンテンツプロバイダが光ディスクに対応するコンテンツをウェブサーバに格納したとき、光ディスクコンテンツプロバイダ自体又は他のＣＡ（マイクロソフトのインターネットエクスプローラ、ネットスケープのナビゲータなどの認証局）が、当該コンテンツがユーザに提供可能であり、秘密鍵を追加したものであると確認する。この秘密鍵は、５００ビット以下のデジタル情報である。
【０００７】
ディスクコンテンツプロバイダによりウェブに格納される上記コンテンツが認証されない場合、当該コンテンツは、ディスクに格納されるＵＲＬリストにリストされるＵＲＬに対応するＵＲＬにより他人（ハッカー、侵害者又は広告代理店など）によって容易に変更可能であり、これにより、プレーヤーはダウンロードされたコンテンツを再生することが可能となり、このことは、ディスク上のコンテンツ及びプレーヤーにダメージを受ける可能性があり、ユーザに大きなトラブルを生じさせる。
【０００８】
また、ユーザは再生中にユーザのニーズに従って新たなＵＲＬ又はシステムによりポップアップされた未知のＵＲＬ（ハッカー、侵害者及び広告代理店により提供されるものなど）を入力することができる。これらのＵＲＬがディスクに格納されているＵＲＬリストに従うものであり、これによりプレーヤーにより再生される場合、同様のダメージが発生しうる。
【０００９】
さらに、コンテンツプロバイダ又はコンテンツプロバイダにより認証された第三者が、新たな娯楽コンテンツをユーザに提供し、当該コンテンツに対応するＵＲＬが、ディスクに格納されていないＵＲＬリストに存在しない場合、プレーヤーは、ダウンロードされたコンテンツがユーザにより必要とされない場合であっても、ダウンロードされたコンテンツを再生することを依然として拒絶し、ディスク、プレーヤー又はディスクのコンテンツに対しダメージを与えない。このことは、ユーザの娯楽範囲を縮小させ、コンテンツプロバイダのビジネスモードを制限する。
【発明の開示】
【発明が解決しようとする課題】
【００１０】
従って、光ディスクの改良、当該ディスクを再生するプレーヤー及び上記問題を回避するようディスクを再生する方法が必要とされる。
【課題を解決するための手段】
【００１１】
本発明は、公開鍵を有する光ディスクを提供する。
【００１２】
本発明はさらに、公開鍵を有する光ディスクを再生する光ディスクプレーヤーを提供する。
【００１３】
本発明はさらに、公開鍵を有する光ディスクを再生する方法を提供する。
【００１４】
本発明により解決される技術的問題は、以下の技術的スキーム、すなわち、本発明の光ディスクは再生のためダウンロードされたコンテンツと協調するのに利用されることを通じて実現される。光ディスクは、ダウンロードされたコンテンツが認証されていることを確認するのに利用される公開鍵を有する。
【００１５】
本発明の光ディスクプレーヤーは、読み出し手段、ウェブインタフェース及び認証モジュールを有する。読み出し手段は、コンテンツ及び公開鍵を読み出すのに利用され、ウェブインタフェースは、ダウンロードされた相対コンテンツを受信するのに利用され、認証モジュールは、ダウンロードされたコンテンツが認証されていることを確認するのに利用される。
【００１６】
ディスクを再生するための本発明の方法は、ダウンロードされたコンテンツが認証されていることを確認するため、光ディスクのコンテンツ及び公開鍵を読み出し、コンテンツをダウンロードした後、読み出された公開鍵に基づきダウンロードされたコンテンツに対する認証を実行する。
【発明の効果】
【００１７】
本発明の上記技術的スキームにより、光ディスク、光ディスク及び再生方法は、ダウンロードされたコンテンツが認証されているかチェックすることにより、ダウンロードされたコンテンツが再生されるべきか判断する。従って、ＵＲＬがどのように変化しても、対応するコンテンツは、認証されている限り再生可能である。ダウンロードされたコンテンツが認証されたものでないとき、それらは、対応するＵＲＬがディスクに格納されているＵＲＬに従っているときでさえ再生拒絶され、これにより、ウイルスを有する情報を再生することにより生じる影響を回避することができ、ユーザの視聴するディスクの関心を向上させる。
【発明を実施するための最良の形態】
【００１８】
図１において、本発明の実施例が示される。本実施例では、プレーヤー３は、光ディスク２を再生するのに利用され、プレーヤー３は、光ディスク２を再生するため光ディスク２上の既存のコンテンツと協調するため、再生中にウェブサーバ４からコンテンツをダウンロードするようウェブサーバ４とリンクされる。
【００１９】
ダウンロードされるコンテンツは、アプリケーション、音声、広告、ゲーム、マンガ及び字幕であるかもしれない。アプリケーションがＪＡＶＡ（登録商標）又は他の言語によるアプリケーションである場合、他の言語と比較して、ＪＡＶＡ（登録商標）によるアプリケーションは、言語のプラットフォーム独立性のためより多目的である。ＪＡＶＡ（登録商標）アプリケーションは、各種プレーヤーの再生を制御するのに利用可能であり、それをウェブサーバに格納することは、様々なプレーヤーメーカーに広範なビジネスプラットフォームを提供し、ユーザによりフレキシブルなアプリケーションを提供する。
【００２０】
さらに、ダウンロードされたコンテンツはすべて認証される。すなわち、光ディスクコンテンツプロバイダが、ウェブサーバ上の光ディスクに対応するコンテンツを格納するとき、光ディスクコンテンツプロバイダ自体又は他のＣＡ（マイクロソフトのインターネットエクスプローラ、ネットスケープのナビゲータなどの認証局）が、当該コンテンツがユーザに提供可能であり、秘密鍵を追加したものであると確認する。この秘密鍵は、５００ビット以下のデジタル情報である。秘密鍵の存在により、ダウンロードされたコンテンツは、ウェブ上の他人により容易に変更されなくなる。
【００２１】
図２は、本発明の実施例による光ディスク２の構造を示す概略図である。光ディスク２は、ＢＣＡ（Ｂｕｒｓｔ  Ｃｕｔｔｉｎｇ  Ａｒｅａ）２２、リードインエリア２４及びメディアコンテンツエリア２６を有する。ＢＣＡ２２は、光ディスク２の再生時にダウンロードされるコンテンツが認証されたものであることを確認するのに利用される公開鍵２３を有する。ＢＣＡ２２は、ダウンロードされたコンテンツの秘密鍵に対応し、５００ビット以下のデジタル情報である。
【００２２】
認証は、ダウンロードされたコンテンツの秘密鍵と光ディスク２の公開鍵の処理を通じてデジタル情報が取得される非対称的アルゴリズムにより実行される（以降で詳述される）。
【００２３】
図２に示される公開鍵２３は、光ディスク２のＢＣＳ２２に配置されるが、それは単なる一例であり、リードインエリア２４やメディアコンテンツエリア２６などの光ディスク２の他のエリアに配置されてもよい。さらに、図２では、１つのみの公開鍵２３が示されるが、実際には、光ディスク２全体の各コンテンツに対する複数の公開鍵２３が存在してもよい。光ディスク２の公開鍵２３はまた、光ディスク２を再生する権限を取得するため、ウェブサーバ４に送信されるのに利用されてもよい。
【００２４】
図３において、本発明の実施例による光ディスクプレーヤー３が示される。光ディスクプレーヤー３は、ウェブインタフェース３１、制御システム３２、ドライバ３９及び出力手段４０を有する。
【００２５】
制御システム３２は、ディスクドライバ３９及び出力手段４０の動作を制御するのに利用され、ＲＡＭ３３、ＲＯＭ３５及びＣＰＵ３８を有する。ＲＡＭ３３は、ウェブインタフェース３１を介し転送されるダウンロードされたコンテンツをバッファリングするバッファエリア３４を有する。ＲＯＭ３５は、検出モジュール３６と認証モジュール３７を有する。ＲＯＭ３５は、ＲＡＭ３３からダウンロードされたコンテンツを受信するためＲＡＭ３３とリンクされる。
【００２６】
ＣＰＵ３８は、ＲＡＭ３３とＲＯＭ３５とリンクされ、ＲＡＭ３３及びＲＯＭ３５の動作を制御する。制御システム３２の制御の下、ディスクドライバ３９は、ディスク２からメディアコンテンツと公開鍵２３を読み出し、公開鍵３２を制御システム３２のＲＯＭ３６に転送し、メディアコンテンツを出力手段４０に転送する。
【００２７】
制御システム３２の検出モジュール３６は、ダウンロードされ、バッファ３４から転送されたコンテンツが完全なものであるか判断するのに利用される。完全なものでない場合、ダウンロードされたコンテンツを再生することを断念する。完全なものである場合、認証モジュール３７は、ダウンロードされたコンテンツが認証されていることを検証する。この検証は、現在完全な公開鍵システムアルゴリズム及びプロトコルを用いて実行される。例えば、検証結果は、ダウンロードされたコンテンツの秘密鍵のデジタルとディスクドライバ３９からの公開鍵のデジタルとの間の処理関係により取得することができる。簡単な例として、ディスク２の公開鍵２３とダウンロードされたコンテンツの秘密鍵との間の関係はＹ＝ＢＸであるとする。ここで、公開鍵２３は、デジタルＹ及びＢを有し、ダウンロードされたコンテンツの秘密鍵はＸを含む。認証モジュール３７はＢＸの結果を計算し、この結果がＹである場合、ダウンロードされたコンテンツは検証をパスし、ダウンロードされたコンテンツは、認証されているとみなされ、再生することが可能となる。結果がＹでない場合、ダウンロードされたコンテンツは検証をパスせず、プレーヤー３は、ダウンロードされたコンテンツを再生することを拒絶する。出力手段は、ディスクドライバにより読み出される情報と制御システムから出力される情報を出力するのに利用される。上記要素の各機能はすべて、ＣＰＵ３４の協調により実現される。
【００２８】
図４は、本発明の実施例による光ディスクを再生する方法のフローチャートである。ディスクの公開鍵とコンテンツを読み出した後（Ｓ１００）、プレーヤー３は、ウェブサーバから光ディスクコンテンツに対応するコンテンツをダウンロードする（Ｓ１１０）。
【００２９】
次に、ダウンロードされたコンテンツの完全性が、ダウンロードされたコンテンツが完全であるか判断するのにチェックされる（Ｓ１２０）。コンテンツが完全でない場合、ダウンロードされたコンテンツは、再生拒絶される（Ｓ１３０）。
【００３０】
コンテンツが完全である場合、公開鍵２３は、ダウンロードされたコンテンツが認証されているか判断するのに利用される（Ｓ１４０）。認証されていない場合、ダウンロードされたコンテンツは再生拒絶される（Ｓ１３０）。認証されている場合、ダウンロードされたコンテンツは直接再生され（Ｓ１５０）、これにより、ディスク２を再生するのにディスク２に格納されている情報と協調する。
【００３１】
本発明の技術的スキームによると、光ディスク、ディスクを再生するプレーヤー及び方法は、コンテンツが認証されているか検出することによって、ダウンロードされたコンテンツを再生するか判断する。従って、ＵＲＬがどのように変化しようと、ダウンロードされたコンテンツは、それらが認証されている限り、再生することが可能である。しかし、ダウンロードされたコンテンツが認証されない場合、ダウンロードされたコンテンツに対応するＵＲＬが光ディスクに格納されるＵＲＬに対応するものであっても再生拒絶され、これにより、ウイルスを有する情報を再生することにより生ずる影響が回避され、ユーザの視聴するディスクの興味が向上する。
【００３２】
本発明は、特定の好適な実施例を参照することにより説明されたが、当業者には様々な代替、改良及び変更が明らかであろう。従って、本発明は、添付した請求項により規定されるような本発明の趣旨及び範囲から逸脱することなく、そのような代替、改良及び変更を含むこととなる。
【図面の簡単な説明】
【００３３】
【図１】図１は、本発明の実施例による関連する要素間の関係及び光ディスクを示す概略図である。
【図２】図２は、図１のディスクの構造を示す概略図である。
【図３】図３は、図１のプレーヤーの構成を示す概略図である。
【図４】図４は、本発明の実施例によるディスクを再生する方法のフローチャートである。
【図１】
2007508660.tif 000003
【図２】
2007508660.tif 000004
【図３】
2007508660.tif 000005
【図４】
2007508660.tif 000006
【国際調査報告】
2007508660.tif 000007
2007508660.tif 000008
2007508660.tif 000009